(57)【特許請求の範囲】
【請求項１】
トンネル内の監視員通路を立ち上げる路面に面するタイル貼り壁面の損傷を生じた部位又はそのおそれの生じた部位をそのままで又は剥離除去した上で、該壁面の前面側に所定間隔をあけて複数枚の型枠兼用のタイルパネルを配置し、次いで、該壁面と該各タイルパネルとの間に高流動性かつ無収縮性のモルタルを注入充填して補修する、トンネル内の監視員通路立ち上げ壁面の補修方法であって、
前記各タイルパネルを、前記壁面に取り付けたアンカーボルトで不陸を調整しつつ該壁面から所定の間隔を空けて取り付け、更に前記各タイルパネルの前面側に、前記モルタルの注入充填時にその注入圧力で該タイルパネルが外方に膨出するのを防止すべく、これを抑える縦向きの複数の膨出防止棒を設置し、かつ該膨出防止棒の上部は監視員通路の手摺りの支柱に配した上部保持手段で外方に移動するのを防止すべく保持し、該膨出防止棒の下部は該各タイルパネルの下方で前記壁面に仮固定した下部保持手段で外方に移動するのを防止すべく保持することとしたトンネル内の監視員通路を立ち上げる壁面の補修方法。
【請求項２】
前記上部保持手段を、前記監視員通路の路面側に配してある手摺りの支柱に路面と反対側から当接させて路面と平行に配した係止補助棒と、一方の係止端を該係止補助棒側に、他方の係止端を前記膨出防止棒の上部側に、それぞれ係止して、該両係止端で該膨出防止棒と該係止補助棒側とを挟持保持するように配するクランプ手段とで構成し、
前記下部保持手段を、前記タイルパネルの下端直下から前方に延びる係止板部であって、複数の係止穴が該タイルパネルの面方向と平行な方向に連設開口してあり、該係止穴が、前記膨出防止棒の、不陸を調節してある前記タイルパネルの前面に当接状態に配するために下方に向かって該タイルパネル側に向かって斜めにカットした形状の下部を挿入可能であるように構成したものである係止板部と、該係止板部の内端から垂下する、前記壁面へ取り付けるための取付板部とで構成したものである請求項１のトンネル内の監視員通路を立ち上げる壁面の補修方法。
【請求項３】
隣接する両側のタイルパネルの背面に当接する連結板部であって、その両側の部位にそれぞれ連結穴を開口した連結板部と、該連結板部の下端から後方に延長する延長板部と、該延長板部の後端から垂下する絡み片とで連結補強部材を構成し、
前記隣接する両側のタイルパネルの背面に該連結補強部材の連結板部の両側部をそれぞれ当接させ、かつ前記各連結穴を通じて該各タイルパネルに形成してある連結穴に挿入したボルト・ナットで両者を連結すると共に、その後に、該タイルパネルと壁面との間に注入充填されるモルタルに前記絡み片を絡み埋設させるように構成した請求項１又は２のトンネル内の監視員通路を立ち上げる壁面の補修方法。
【請求項４】
隣接する両側のタイルパネルの間に、前記壁面と該タイルパネルとの間へのモルタルの注入に先立って充填剤を充填し、かつ該隣接するタイルパネルの前面側に、該隣接するタイルパネルの間から前記壁面とタイルパネルとの間に注入されるモルタルが漏出することとなるのを防止するために、漏出防止板を配することとした請求項１、２又は３のトンネル内の監視員通路を立ち上げる壁面の補修方法。
【請求項５】
前記膨出防止棒を、前記隣接する二つのタイルパネルの連結部を含む前面側に配する前記漏出防止板の前面側に当接させ、該膨出防止棒を該漏出防止板を介して該タイルパネルの膨出防止のために作用させるようにすることで、該膨出防止棒に、該漏出防止板のタイルパネルへの圧接とタイルパネルの膨出防止作用とを兼用させることとした請求項４のトンネル内の監視員通路を立ち上げる壁面の補修方法。
【発明の詳細な説明】
【技術分野】
【０００１】
本発明は、トンネル内の側部に位置する監視員通路を路面から立ち上げる壁面が経年劣化その他の理由により損傷を生じた場合又はそのおそれが生じた場合に、これを補修する、トンネル内の監視員通路を立ち上げる壁面の補修方法に関するものである。
【背景技術】
【０００２】
監視員通路を路面から立ち上げる壁面を含む、トンネル内の全壁面は、トンネル内を通行する種々の自動車の排気ガス等による劣悪な環境の中にあり、劣化が速く進む傾向がある。壁面を構成する各部の劣化が進むと、該壁面を構成するタイルの剥離等が生じるおそれがあり、その結果、路面上にタイル又はその破片等が落下するに至ると、これらにより、重大な交通事故を引き起こすおそれある。それ故、このような事故を未然に防止するため、速やかに劣化した壁面を補修する必要がある。
【０００３】
従来、このようなトンネル内の壁面、特に監視員通路を立ち上げる路面に面したタイル壁面の補修は、補修対象壁面のうちの劣化した部位を、衝撃を加える等によって剥離除去した上で、該壁面の前面に一定の間隔を空けて型枠を構築し、その間にモルタルを打設して該壁面の前面に新たなモルタル下地層を形成し、更に該モルタル下地層の前面に個別のタイル、若しくは基板に複数のタイルを貼り付けてなるタイルパネルを取り付けることで行われてきた。
【０００４】
上記の型枠は、補修対象壁面にアンカーボルトを固設し、更に該補修対象壁面の最下部に接する縁石上又は路面上に何らかの支持部材を固定した上で、それらのアンカーボルト及び支持部材を利用して仮固定するようにしていたものである。なお、該支持部材の縁石上又は路面上への固定は、該縁石等にアンカーボルト等を打ち込むことが認められていないため、これで固定することはできない。それ故、該支持部材の縁石等への固定は、接着剤等を用いて行うが、該支持部材を確実に縁石等に固定するためには接着力の高い接着剤を用いる必要がある。上記の型枠を除去する際には、当然、該支持部材を取り外す必要があるが、その際に、縁石等に接着剤が残留してしまう問題がある。
【０００５】
トンネル内の監視員通路を路面から立ち上げる壁面の補修方法については、以上の方法以外に知られているものはない。この補修方法に参考となると思われる従来技術の文献としては、トンネル覆工構築法を提案する特許文献１がある。
【０００６】
このトンネル覆工構築法は、トンネルの地山面に対向させて、周方向に複数に分割した型枠兼用のプレキャストコンクリート版であって、その地山面への対向面に底部が堰板部となって閉じているコンクリート充填部を開口したプレキャストコンクリート版を建込み、該プレキャストコンクリート版を、支持アームを介して該地山面に対向する所定位置に固設し、次いで、該地山面と該プレキャストコンクリート版との間に流動性の良い急硬化コンクリートを注入充填する、という方法である。
【０００７】
このトンネル覆工構築法におけるプレキャストコンクリート版を型枠兼用とする考え方は、前記の監視員通路を路面から立ち上げる壁面の補修方法にも応用できる。すなわち、該型枠兼用として用いるプレキャストコンクリート版の技術思想を、従来技術の補修方法におけるタイルパネルに適用し、該タイルパネルを型枠兼用として用いる。このようにすれば、補修対象壁面の前面に所定間隔で型枠兼用であるタイルパネルを配置し、かつ、支持アームを介してこれをその状態に固定し、次いで、該タイルパネルと補修対象壁面との間に流動性の良い急硬化モルタルを注入することにより、その後の型枠の除去やタイルの取り付け工程を必要としないで、スピーディに壁面の補修を完了させることができるようになる。
【０００８】
しかし、特許文献１において、支持アームに関しては何の説明もなく、その構成は全く不明である。従って、従来技術の補修方法における支持部材の固定に関する問題点と同様の問題があり、この点の問題は全く解決されない。すなわち、タイルパネルの取り付けに関しては全くその説明がないのと同様であり、特許文献１からは、その取付方法として適切な手段を見出しがたい。
【先行技術文献】
【特許文献】
【０００９】
【特許文献１】特開平０５−９８８９３号公報
【発明の概要】
【発明が解決しようとする課題】
【００１０】
本発明は、トンネル内の監視員通路を路面から立ち上げるタイル壁面が経年劣化その他の理由により損傷を生じた場合又はそのおそれが生じた場合に、これを補修するトンネル内の監視員通路を立ち上げる壁面の補修方法において、これを、該補修対象壁面の損傷を生じた部位又はそのおそれの生じた部位をそのままで又は剥離除去した上で、補修対象壁面の前面に適切な間隔で型枠を兼ねたタイルパネルを配置し、該タイルパネルと該補修対象壁面との間に流動性のモルタルを注入充填することで、スピーディにその補修作業を完了させること、タイルパネルを補修対象壁面側に固定することとすることにより、路面側に全く悪影響を与えないようにすること、及び補修対象壁面に凹凸があっても不陸を調整して適切にタイルパネルを取り付けることを解決の課題とするものである。
【課題を解決するための手段】
【００１１】
本発明の１は、トンネル内の監視員通路を立ち上げる路面に面するタイル貼り壁面の損傷を生じた部位又はそのおそれの生じた部位をそのままで又は剥離除去した上で、該壁面の前面側に所定間隔をあけて複数枚の型枠兼用のタイルパネルを配置し、次いで、該壁面と該各タイルパネルとの間に高流動性かつ無収縮性のモルタルを注入充填して補修する、トンネル内の監視員通路立ち上げ壁面の補修方法であって、前記各タイルパネルを、前記壁面に取り付けたアンカーボルトで不陸を調整しつつ該壁面から所定の間隔を空けて取り付け、更に前記各タイルパネルの前面側に、前記モルタルの注入充填時にその注入圧力で該タイルパネルが外方に膨出するのを防止すべく、これを抑える縦向きの複数の膨出防止棒を設置し、かつ該膨出防止棒の上部は監視員通路の手摺りの支柱に配した上部保持手段で外方に移動するのを防止すべく保持し、該膨出防止棒の下部は該各タイルパネルの下方で前記壁面に仮固定した下部保持手段で外方に移動するのを防止すべく保持することとしたトンネル内の監視員通路を立ち上げる壁面の補修方法である。
【００１２】
本発明の２は、本発明の１のトンネル内の監視員通路を立ち上げる壁面の補修方法において、前記上部保持手段を、前記監視員通路の路面側に配してある手摺りの支柱に路面と反対側から当接させて路面と平行に配した係止補助棒と、一方の係止端を該係止補助棒側に、他方の係止端を前記膨出防止棒の上部側に、それぞれ係止して、該両係止端で該膨出防止棒と該係止補助棒側とを挟持保持するように配するクランプ手段とで構成し、前記下部保持手段を、前記タイルパネルの下端直下から前方に延びる係止板部であって、複数の係止穴が該タイルパネルの面方向と平行な方向に連設開口してあり、該係止穴が、前記膨出防止棒の、不陸を調節してある前記タイルパネルの前面に当接状態に配するために下方に向かって該タイルパネル側に向かって斜めにカットした形状の下部を挿入可能であるように構成したものである係止板部と、該係止板部の内端から垂下する、前記壁面へ取り付けるための取付板部とで構成したものである。
【００１３】
本発明の３は、本発明の１又は２のトンネル内の監視員通路を立ち上げる壁面の補修方法において、隣接する両側のタイルパネルの背面に当接する連結板部であって、その両側の部位にそれぞれ連結穴を開口した連結板部と、該連結板部の下端から後方に延長する延長板部と、該延長板部の後端から垂下する絡み片とで連結補強部材を構成し、前記隣接する両側のタイルパネルの背面に該連結補強部材の連結板部の両側部をそれぞれ当接させ、かつ前記各連結穴を通じて該各タイルパネルに形成してある連結穴に挿入したボルト・ナットで両者を連結すると共に、その後に、該タイルパネルと壁面との間に注入充填されるモルタルに前記絡み片を絡み埋設させるように構成したものである。
【００１４】
本発明の４は、本発明の１、２又は３のトンネル内の監視員通路を立ち上げる壁面の補修方法において、隣接する両側のタイルパネルの間に、前記壁面と該タイルパネルとの間へのモルタルの注入に先立って充填剤を充填し、かつ該隣接するタイルパネルの前面側に、該隣接するタイルパネルの間から前記壁面とタイルパネルとの間に注入されるモルタルが漏出することとなるのを防止するために、漏出防止板を配することとしたものである。
【００１５】
本発明の５は、本発明の４のトンネル内の監視員通路を立ち上げる壁面の補修方法において、前記膨出防止棒を、前記隣接する二つのタイルパネルの連結部を含む前面側に配する前記漏出防止板の前面側に当接させ、該膨出防止棒を該漏出防止板を介して該タイルパネルの膨出防止のために作用させるようにすることで、該膨出防止棒に、該漏出防止板のタイルパネルへの圧接とタイルパネルの膨出防止作用とを兼用させることとしたものである。
【発明の効果】
【００１６】
本発明の１のトンネル内の監視員通路を立ち上げる壁面の補修方法によれば、該壁面に損傷を生じている場合に、その損傷部位を除去した上で又は除去せずに、その前面に所定間隔で所要のタイルパネルを設置し、これを型枠兼用として該タイルパネルと該壁面との間に高流動性かつ無収縮のモルタルを注入充填することにより、型枠の除去及びその後のタイルの取り付け作業を必要とせずに、スピーディに該壁面の補修を行うことができる。
【００１７】
また、本発明の１のトンネル内の監視員通路を立ち上げる壁面の補修方法によれば、型枠兼用のタイルパネルは、前記補修対象壁面に取り付けたアンカーボルトで不陸を調整しつつ該壁面の前面に所定の間隔で設置するものであるが、該タイルパネルは、その外面側に、縦向きの複数の膨出防止棒を配置し、該膨出防止棒の上部は監視員通路の手摺りに取り付けた上部保持手段で固定し、下部は該各タイルパネルの下方に位置させて前記壁面に仮固定した下部保持手段で固定するものであるため、該アンカーボルトと該壁面との間にモルタルを注入充填する際に、該タイルパネルがその背後側からのモルタルの注入圧力を受けても該膨出防止棒によってその膨出が防止され、該タイルパネルは適切な不陸状態を保持することができる。
【００１８】
また、前記のように、前記タイルパネルは、上部を監視員通路の手摺りに取り付けた上部保持手段で、下部を該タイルパネルの下方に位置させて前記壁面に仮固定した下部保持手段で、それぞれ仮保持した前記膨出防止棒で膨出が防止されるものであるため、モルタル注入の際の注入圧で該タイルパネルが膨出することを、路面又は縁石に傷を付けたり、汚したりすることなく、確実に防止することができるものである。
【００１９】
本発明の２のトンネル内の監視員通路を立ち上げる壁面の補修方法によれば、前記膨出防止棒の下部を、前記タイルパネルの前面に配した状態で、該タイルパネル側に向かってかつ下方に向かって斜めにカットした状態の不陸調整部に構成し、かつ前記下部保持手段を、前記膨出防止棒の下部の不陸調整部を保持する係止板部であって、該膨出防止棒の下部の不陸調整部を挿入するための複数の係止穴が該タイルパネルの面方向と平行な方向に連設開口してある係止板部と、該係止板部の内端（後端）から垂下する、前記壁面へ取り付けるための取付板部とで構成したものであるため、取付対象である壁面にその横方向に凹凸があって該下部保持手段がその凹凸に沿った形状に変形しつつ取り付けられることとなったとしても、前記膨出防止棒の前記係止板部の係止穴への挿入深さを適切に調整することで、前記タイルパネルを適切な不陸状態で抑えることを確保することができる。
【００２０】
本発明の３のトンネル内の監視員通路を立ち上げる壁面の補修方法によれば、隣接する両側のタイルパネルを連結補強部材の連結板部により背面側で連結するものであり、これによって左右両側のタイルパネルが強固に連結され、更にこのようなタイルパネルの連結設置の後に、該タイルパネルと壁面との間にモルタルを注入充填すると、充填されたモルタル中に、該連結板部の下端から後方に延長する延長板部の後端から更に垂下する絡み片が絡み埋設することとなり、該タイルパネルの壁面への結合は、モルタルとの単なる接合を越えてより強化されたものとなる。
【００２１】
本発明の４のトンネル内の監視員通路を立ち上げる壁面の補修方法によれば、隣接する両側のタイルパネルの隙間を埋める充填剤を充填した上で、更に該両タイルパネルの隙間部分を含むその前面に漏出防止板を配置したため、タイルパネルと壁面との間にモルタルを注入充填した場合に、そのモルタルが両側のタイルパネルの隙間から外部に漏出するような問題を確実に回避することができる。
【００２２】
本発明の５のトンネル内の監視員通路を立ち上げる壁面の補修方法によれば、前記漏出防止板は、これを前記タイルパネルの前面側に配して、モルタルの注入圧によって該タイルパネルが外方に膨出するのを抑えるための二本以上の膨出防止棒を、該漏出防止板の前面側に配し、これを介して該タイルパネルの膨出を防止するようにしたことにより、該漏出防止板と該タイルパネルとを同時に抑えることとなり、特別に他の手段を用意することなく、簡単にかつ確実に前記漏出防止板を抑えることができる。
【図面の簡単な説明】
【００２３】
【図１】（ａ）は、本発明の一実施例のトンネル内の監視員通路を立ち上げる壁面の補修方法の最終段階でモルタルの硬化を待つ状態を示した平面図、（ｂ）は、正面図、（ｃ）は、側面断面図である。
【図２】図１（ｂ）の中央部付近の拡大図である。
【図３】図１（ｃ）の拡大図である。
【図４】図１（ａ）の中央部付近の拡大図である。
【図５】図１（ａ）の中央から外れた部位付近の拡大図である。
【図６】（ａ）は、損傷を生じた壁面の損傷部位を剥離除去した状態の平面断面図、（ｂ）は、正面図である。
【図７】（ａ）は、補修対象の壁面の前面に所定間隔を空けてタイルパネルを設置した状態の平面断面図、（ｂ）は、正面図、（ｃ）は、側面断面図である。
【図８】（ａ）は、図７（ａ）の中央部付近の拡大図、（ｂ）は、図７（ｂ）の中央部付近の拡大図である。
【図９】図７（ｃ）の拡大図である。
【図１０】タイルパネルの正面図である。
【図１１】（ａ）は、タイルパネルの右側部分の拡大平面図、（ｂ）は、右側部分の一部切欠拡大正面図、（ｃ）は、一部切欠拡大右側面図である。
【図１２】（ａ）は、膨出防止棒の一部切欠拡大左側面図、（ｂ）は、一部切欠拡大正面図、（ｃ）は、左側面図、（ｄ）は、拡大平面図である。
【図１３】（ａ）は、下部保持手段の上下反転状態の一部切欠拡大正面図、（ｂ）は、上下反転状態の一部切欠拡大平面図、（ｃ）は、上下反転状態の拡大側面図、（ｄ）は、上下反転状態の正面図である。
【図１４】（ａ）は、連結補強部材の平面図、（ｂ）は、正面図、（ｃ）は、右側面図である。
【図１５】補修対象の壁面を示すためのトンネルの概要図である。
【発明を実施するための形態】
【００２４】
以下、発明を実施するための形態を実施例に基づいて添付図を参照しつつ詳細に説明する。
【実施例１】
【００２５】
まず初めに本発明のトンネル内の監視員通路を立ち上げる壁面の補修方法を実施するために用いる主要な部材である、タイルパネル１と、膨出防止棒２と、上部保持手段を構成する係止補助棒３及びクランプ手段４と、下部保持手段５と、連結補強部材６と、漏出防止板７とを説明する。
【００２６】
前記タイルパネル１は、この実施例では、特に図１０及び図１１に示すように、複数のタイル１１、１１、・・・と、これらを前面に縦横に配列したセメントボード（基板）１２と、上下隣接する複数のタイル１１、１１、・・・の幅狭目地中に配する中間係止金具１３ａと、アンカーボルトｂ１を取り付けうる幅広目地中に配する中関係止金具１３ｂと、該中間係止金具１３ａ、１３ｂを前記セメントボード１２に取り付け固定するためのリベット部材１４と、前記セメントボード１２の最上部又は最下部に配され、その最上部又は最下部の複数のタイル１１、１１、・・・の上縁又は下縁、及び該セメントボード１２の上部小口又は下部小口を同時に抱える上下部係止金具１５と、で構成したものである。
【００２７】
前記タイル１１は、図１０に示すように、一般的な四辺形のセラミック製のそれであり、特別の加工は施していない。また前記セメントボード１２は横長長方形の公知の基板部材であり、小口を除いてその外面には防水用のシーラーが施してある。
【００２８】
前記中間係止金具１３ａ、１３ｂは、特に図１１に示すように、ステンレススチールで一体に形成した上方のタイル１１の下縁を抱える下縁係止片、下方のタイル１１の上縁を抱える上縁係止片及びそれらの間に凹状に構成した取付片からなるものである。該取付片は、詳細には、側面から見て、前記下縁係止片の下端と上縁係止片の上端からコ字形に後退した形状のものであり、前記幅狭目地中に配する中間係止金具１３ａの取付片は前記リベット部材１４を取り付けうる程度の幅狭に、前記幅広目地中に配する中間係止金具１３ｂの取付片は、アンカーボルトｂ１を取り付けうる程度に幅広に、それぞれ構成してあるものである。前者の中間係止金具１３ａの取付片には、その長さ方向に沿って前記リベット部材１４を取り付けるための係止穴を連設開口し、後者の中間係止金具１３ｂの取付片には、その長さ方向に沿って前記リベット部材１４を取り付けるための係止穴を連設開口し、更にその係止穴の適宜数毎に該係止穴を、アンカーボルトｂ１を取り付けうる大径係止穴に構成しておくものとする。
【００２９】
なお、以上の中間係止金具１３ａ、１３ｂは、図１０及び図１１に示すように、その中央仮装線を対称軸として上下が対象となる構成となっているものである。
【００３０】
前記上下部係止金具１５は、図１０及び図１１に示すように、前記セメントボード１２の最上部又は最下部に配し、その最上部又は最下部の複数のタイル１１、１１、・・・の上縁又は下縁を係止する上下縁係止片、前記セメントボード１２の上部小口又は下部小口を被覆しかつ係止する被覆係止片、前記上下縁係止片及び前記被覆係止片の間から垂下又は直立し、最上部又は最下部のタイル１１、１１、・・・と前記セメントボード１２との間に挿入する複数の係止舌片を備えたものである。
【００３１】
そして、実施例のタイルパネル１は、図１０及び図１１に示すように、セメントボード１２の前面にタイル１１、１１、・・・を縦横に配列し、該タイル１１、１１、・・・を、前記中間係止金具１３ａ、１３ａ、・・・、１３ｂ、１３ｂ、・・・と、上下部係止金具１５、１５と、前記中間係止金具１３ａ、１３ａ、・・・、１３ｂ、１３ｂ、・・・をセメントボード１２に固定するリベット部材１４、１４、・・・とで固定することで構成したものである。
【００３２】
なお、上下隣接するタイル１１、１１、・・・の間の目地は、図１０に示すように、最上部のタイル１１、１１、・・・とその直下のタイル１１、１１、・・・との間の目地、最下部のタイル１１、１１、・・・とその直上のタイル１１、１１、・・・との間の目地及び中央の目地は幅広に構成し、その間には前記中間係止金具１３ｂを配置し、それ以外の目地は幅狭に構成し、その間には前記中間係止金具１３ａを配置し、それぞれの取付片に開口した係止穴を利用して前記リベット部材１４で、これらの中間係止金具１３ａ、１３ａ、・・・、１３ｂ、１３ｂ、・・・をセメントボード１２に固定し、これらを介してタイル１１、１１、・・・をセメントボード１２に固定したものである。
【００３３】
言うまでも無く、最上部のタイル１１、１１、・・・の上縁は、前記上下部係止金具１５の上下縁係止片で抱えられ、前記セメントボード１２の上部小口は前記上下部係止金具１５の被覆係止片で抱えられ、かつ前記上下部係止金具１５は、その係止舌片が、最上部のタイル１１、１１、・・・と前記セメントボード１２との間に挿入状態となってその位置に固定状態となる。最上部のタイル１１、１１、・・・の上縁と前記セメントボード１２の上部小口はこうして相互に結合状態となる。最下部のタイル１１、１１、・・・の上縁及び前記セメントボード１２の下部小口も、上下対称状態で、同様に、前記上下部係止金具１５で固定状態にされる。
【００３４】
なお、該タイル１１、１１、・・・は、該セメントボード１２に縦横に配置する際にその背面に接着剤を配しておくこととし、前記上下部係止金具１５の係止舌片は、該タイル１１、１１、・・・と該セメントボード１２との間に該接着剤が硬化しないうちに挿入する。
【００３５】
この実施例では、以上のようなタイルパネル１を採用したが、これに限定されるものではない。基板にタイルを他の構成の金具類を用いて取り付けたタイルパネル、またはタイルを基板に金具と接着剤を用いて接合固定したタイルパネル等を採用することが可能である。更には、好ましくはないが、基板の前面にタイルを縦横に配置して単に相互を接着結合したものでも採用可能である。ただし、いずれの場合でも、所要の位置のタイルの目地が、アンカーボルトを取り付けうる幅となっている必要はある。
【００３６】
前記膨出防止棒２は、図３等に示すように、壁面ｗの前面に一定間隔を空けて配したタイルパネル１、１、・・・の前面側にその膨出を防止すべく、上下方向を向けてクッション材２１を介して接合状態に配する部材であり、図１２に示すように、平面視で、使用時に壁面ｗと直交する方向に長い長方形の角形である、角筒状の長尺金属部材である。その下部は、同図及び図３等に示すように、使用状態で、下方に向かうに従って前記タイルパネル１、１、・・・側に向かうように斜めにカットした形状の不陸調整部２２を備えたものである。なお、前記クッション材２１は、弾力性を有する帯状の部材であり、同図に示すように、この実施例では、膨出防止棒２のタイルパネル１との接合面側に予め接合固定しておく。
【００３７】
この実施例では、膨出防止棒２は、以上のように構成したが、下部に前記の構成の不陸調整部２２を有するものであれば、他の構成のそれも採用可能である。
【００３８】
前記上部保持手段の一部を構成する係止補助棒３は、図１〜図５に示すように、端面から見て正方形の角筒状の金属部材をそれとして採用したものである。もっともこの係止補助棒３は、これに限定されず、使用時に、監視員通路の路面側に位置する部位から立ち上がる手摺りの支柱ｃの路面と反対側の部位に該路面と平行に配して、これを介して前記クランプ手段４の他方の係止端４２を該支柱ｃに係止できる、十分な強度を有する長尺部材であれば、例えば、円筒状の金属部材、内部の充実した金属棒、その他の構成の部材を採用することも可能である。
【００３９】
前記上部保持手段の他の一部を構成するクランプ手段４は、図１〜図５に示すように、一方の係止端４１、他方の係止端４２、各々の基部４１ａ、４２ａの間隔を伸縮自在に繋ぐ調整ボルト部材４３及び上記各基部４１ａ、４２ａに配したグリップ片からなり、前記調整ボルト部材４３を一定方向に回転（短縮回転）させると、前記基部４１ａ、４２ａの間隔が短縮し、他方向に回転（伸張回転）させると、該間隔が伸張するように動作するようになっている。
【００４０】
前記クランプ手段４は、この実施例では、以上の構成のそれを採用したが、一方の係止端４１と他方の係止端４２との間隔を自由に伸縮し得、設定した間隔を保持しうる構成であれば、特定のそれに限定されない。自由に種々の構成のそれを採用することができる。
【００４１】
前記下部保持手段５は、図３〜図５、図９及び図１３に示すように、使用状態で、前記タイルパネル１、１、・・・の下端下から前方に延びる係止板部５１と、該係止板部５１の内端（後端）から垂下する、前記壁面ｗへ取り付けるための取付板部５２とで構成した、側面視でＬ形の長尺金属板材である。
【００４２】
以上の係止板部５１は、図４、図５及び図１３に示すように、その長さ方向に沿って複数の係止穴５１ｈ、５１ｈ、・・・を連設開口したものである。該各係止穴５１ｈは、該係止板部５１の長さ方向に直交する方向の寸法を、前記膨出防止棒２の不陸調整部２２の最下部から最上部までの調整用寸法の全範囲を越える寸法に構成する。また該各係止穴５１ｈ、５１ｈ、・・・の該係止板部５１の長さ方向に沿った方向の寸法を、使用時の該膨出防止棒２の同方向の寸法以上の寸法に構成する。
【００４３】
前記取付板部５２は、図１、図２、図８及び図１３に示すように、その長さ方向に沿ってその略中央部に横長の取付穴５２ｈ、５２ｈ、・・・を連設開口しておく。該各取付穴５２ｈ、５２ｈ、・・・は、同図に示すように、前記壁面ｗに接合した取付板部５２を、それらを通じて挿入した仮止め用アンカーボルトｂ２、ｂ２、・・・で該壁面ｗに仮固定することができるように、該仮止め用アンカーボルトｂ２、ｂ２、・・・を挿通するのに適した幅寸法としておく。
【００４４】
前記連結補強部材６は、図２〜図４、図８、図９及び図１４に示すように、使用時に、隣接する両側のタイルパネル１、１の背面側に当接する連結板部６１と、該連結板部６１の下端から後方に延長する延長板部６２と、該延長板部６２の後端両側から垂下する二つの絡み片６３、６３とで構成したものである。
【００４５】
以上の連結板部６１は、特に図１４に示すように、その両側の各部位で、隣接する両側のタイルパネル１、１の各近接する端部付近の背面に接合固定して両者を連結する手段である。この連結板部６１の中央部には円形穴が開口してあり、両側中央寄りにはそれぞれ幅の広い横長の結合穴６１ｈａが開口してあり、両側外方寄りにはそれぞれ幅の狭い横長の結合穴６１ｈｂが開口してある。いずれもこれらを利用してボルト・ナットｂｎ、ｂｎで該連結板部６１と両側のタイルパネル１、１とを連結するための手段である。
【００４６】
前記延長板部６２は、同図に示すように、前記連結板部６１の下端から使用時における後方に直角に折り曲げて延長した部材であり、これは、前記絡み片６３、６３を使用時に良好にモルタルｍ中に絡み埋設させる趣旨で延長するものである。
【００４７】
前記二つの絡み片６３、６３は、以上に述べ、図３及び図４に示すように、使用時に、モルタルｍ中に絡み埋設し、前記延長板部６２及び連結板部６１を介して、タイルパネル１、１を強固にモルタルｍに結合させる趣旨のものである。前記連結補強部材６は、従って、隣接する二つのタイルパネル１、１を結合すると同時に、モルタルｍに対しても強固に結合させるようにする趣旨を持ったものである。
【００４８】
前記漏出防止板７は、図２〜図４に示すように、隣接する両側のタイルパネル１、１の前面側にその間を閉じるように配して、該隣接するタイルパネル１、１の隙間から、タイルパネル１、１、・・・と背後の壁面ｗとの間に注入充填するモルタルｍが漏出するのを防止するための板状部材である。この実施例では、内面側に剥離剤を塗布したコンパネを採用し、隣接する両側のタイルパネル１、１の隙間を最上部から最下部まで一枚のそれで閉じるべく用いる。またこの漏出防止板７のタイルパネル１、１への接合状態は、該タイルパネル１、１の膨出防止のために用いる前記膨出防止棒２、２を該漏出防止板７の外面側に配することにして、タイルパネル１、１と同時に保持する。
【００４９】
本発明のトンネル内の監視員通路を立ち上げる壁面の補修方法は以上の各部材を用いて実施する。本発明の適用対象は、図１５に示すように、トンネル内の監視員通路ｋを立ち上げる、路面に面した壁面ｗである。該壁面ｗに損傷を生じた場合又はそのおそれが生じた場合には、損傷の生じた部位又はそのおそれの生じた部位をそのままで又は剥離除去した上で、該壁面ｗの前面側に所定間隔をあけて複数枚のタイルパネル１、１、・・・を配置する。この実施例では、図６に示すように、損傷の生じている部位や脆弱な部位を除去した上で、図７〜図９に示すように、該壁面ｗの前面側にタイルパネル１、１、・・・を配置することとしたものである。
【００５０】
なお、この実施例では、タイルパネル１の縦方向の寸法は、補修対象の壁面ｗの高さ方向の寸法に対応するものとし、縦方向には一枚で、横方向に必要なだけの複数枚のタイルパネル１、１、・・・を配置することとしたものである。
【００５１】
前記壁面ｗの損傷を生じた部位及び脆弱な部位の除去は、適当な打撃力で対応部位を打撃する等の既存の技術により該当部位を剥離することで行ったものである。
【００５２】
また前記タイルパネル１、１、・・・の壁面ｗの前面への取り付けは、図２、図３、図８及び図９に示すように、原則として、アンカーボルトｂ１、ｂ１、・・・により行う。タイルパネル１、１、・・・は、図３及び図４に示すように、壁面ｗに設置してある既存のタイルｔ、ｔ、・・・又は取り付けてあったタイルｔ、ｔ、・・・の前面から、この実施例では、約３ｍｍ程の間隔ｓを空けて配置し、前記アンカーボルトｂ１、ｂ１、・・・で固定する。壁面ｗには、設置するタイルパネル１、１、・・・に配したタイル１１、１１、・・・の幅広の横目地に配した中間係止金具１３ｂ、１３ｂ、・・・の大径係止穴の位置に対応させて下穴を形成しておく。
【００５３】
なお、前記中間係止金具１３ｂの大径係止穴のうち、背後の壁面ｗの対応する部位が脆弱化していて、大きく削除されている場合は、その部位については下穴を形成しておくことができないが、後述するように、一部だけでも下穴を形成し得、アンカーボルトｂ１、ｂ１、・・・を固定することが可能な部位があれば、不都合ではない。タイルパネル１、１、・・・は、その面と直交する外方への力がかかった場合には、前記膨出防止棒２、２、・・・によってそれが膨出しないように、すなわち、前記間隔ｓが維持され、不陸が適切に調節された状態が維持されるように保持されており、他方、これと逆方向の力は、掛かる可能性が殆ど無く、モルタルｍで固定されるようになるまで仮保持できれば良いからである。
【００５４】
もっともこの実施例では、必要に応じて、タイルパネル１、１、・・・の背後の壁面ｗの対応する部位が脆弱化していて、大きく削除されている場合は、特に図３及び図５に示すように、対応する中間係止金具１３ｂ、１３ｂ、・・・の大径係止穴には、前面側から長ボルトｂ３、ｂ３、・・・を挿入し、ナットでその頭部をタイルパネル１、１、・・・に固定し、後方に延びた該長ボルトｂ３、ｂ３、・・・の後部には調整長ナットを螺合し、全体としての長さを調節し、該長ナットの後端を該壁面ｗの削除面に当接させ、突っ張り状態とすることにより、タイルパネル１、１、・・・の調節した不陸状態を維持するようにすることとした。
【００５５】
他方、タイルパネル１、１、・・・には、その中間係止金具１３ｂの大径係止穴にアンカーボルトｂ１、ｂ１、・・・の先端側を取り付けておく。該アンカーボルトｂ１、ｂ１、・・・は、その先端部と途中のナットとで、タイルパネル１、１、・・・のセメントボード１２及び中間係止金具１３ｂの取付片を挟持する状態にしてタイルパネル１、１、・・・に固定しておく。当然、アンカーボルトｂ１、ｂ１、・・・は、タイルパネル１、１、・・・の背後側に延長する状態に配する。
【００５６】
以上のタイルパネル１、１、・・・は、以上のようにしてこれに取り付けてあるアンカーボルトｂ１、ｂ１、・・・を、壁面ｗの所定位置に開口してある下穴に挿入し、当該のアンカーボルトｂ１、ｂ１、・・・に応じた操作、例えば、ねじ込み又は打ち込むことで該アンカーボルトｂ１、ｂ１、・・・を該下穴に固定し、これによって該壁面ｗに固設する。該下穴へのアンカーボルトｂ１、ｂ１、・・・の打ち込み深さ又はねじ込み深さを調節することで、該タイルパネル１、１、・・・の不陸を調節する。また該壁面ｗと該タイルパネル１、１、・・・との隙間の間隔ｓを、この実施例では、３ｍｍ程度に調節する。
【００５７】
この間隔ｓは、この実施例では、以上のように、３ｍｍ程度に設定したが、これに限定されない。この間隔ｓは、この間隔ｓ内に注入充填するモルタルｍの流動性との関係で設定するものであり、密に注入充填可能な最低限度以上に設定すれば良い。ただし、できるだけ狭いことが好ましい。
【００５８】
こうして、タイルパネル１、１、・・・を壁面ｗの前面に、不陸を調節し、これを優先しながら該壁面ｗとタイルパネル１、１、・・・との隙間の間隔ｓを約３ｍｍ程度に設定して取り付けた後、図７〜図９に示すように、隣接する各タイルパネル１、１を、前記連結補強部材６で連結する。該連結補強部材６は、その連結板部６１の両側のそれぞれを、隣接するタイルパネル１、１の背面側で、前記中間係止金具１３ｂの配してあるタイル１１、１１、・・・の広幅横目地に対応する部位に当接させる。そうした上で、両側のタイルパネル１、１の各中間係止金具１３ｂの取付片に開口した大径係止穴と前記連結補強部材６の連結板部６１の両側に開口してある幅狭の横長の各結合穴とを対応させ、それぞれにタイルパネル１、１の前面側からボルトを挿入し、裏面側に突出した該ボルトにナットを螺合する。こうして二つのボルト・ナットｂｎ、ｂｎ及び連結補強部材６の連結板部６１を介して隣接する両側のタイルパネル１、１を連結する。
【００５９】
この状態で、同図に示すように、該連結補強部材６の延長板部６２は、背後側に延長状態になっており、その後端から二つの絡み片６３、６３が垂下状態となっていることになる。なお、このような隣接するタイルパネル１、１の連結は、損傷部位及び脆弱部位を剥離除去した壁面ｗに対応する部位で行う。また、このような隣接する相互のタイルパネル１、１の連結は、対象の壁面ｗの全範囲にタイルパネル１、１、・・・を設置した後に、または隣接するタイルパネル１、１を設置する毎に行う。
【００６０】
このように隣接するタイルパネル１、１を連結した後に、そのような隣接するタイルパネル１、１の間にはシーリング材と呼ばれる充填剤を充填しておく。
【００６１】
また、前記タイルパネル１、１、・・・を設置した後、その直下の位置に下部保持手段５を設置する。この実施例では、この段階で、この下部保持手段５を壁面ｗの上記位置に設置することとしたが、前記充填剤の充填前でも良いし、前記連結補強部材６による各隣接するタイルパネル１、１の連結の前であっても良い。更にタイルパネル１、１の設置前に壁面ｗに設置しておいても不都合ではない。なお、下部保持手段５は、タイルパネル１、１、・・・の上下方向の位置決めのためには、最後に述べた該タイルパネル１、１、・・・の設置前に壁面ｗに取り付けておくという手順が適切であることになる。
【００６２】
前記下部保持手段５は、図７〜図９に示すように、その取付板部５２を、その上端から前方に延びる係止板部５１が壁面ｗに設置した前記タイルパネル１、１、・・・の直下に位置することとなるように、位置決めしつつ該壁面ｗに接合し、開口してある横長の取付穴５２ｈ、５２ｈ、・・・を利用して仮止め用アンカーボルトｂ２、ｂ２、・・・で該壁面ｗに仮止め固定する。なお、該壁面ｗの対応する位置には、下穴を開口しておき、前記取付穴５２ｈ、５２ｈ、・・・を通じて挿入した仮止め用アンカーボルトｂ２、ｂ２、・・・を、それに応じた打ち込み又はねじ込み等の操作により該下穴に仮止めして該取付板部５２を該壁面ｗに仮固定できるようにしておく。
【００６３】
また、以上の下部保持手段５の取り付けの際に、特に図９に示すように、タイルパネル１、１、・・・の下端直下に、該タイルパネル１、１、・・・と壁面ｗとの隙間に、注入充填するモルタルｍが漏出しないようにするためのゴムパッキンｐを配置し、前記係止板部５１で該ゴムパッキンｐをその位置に保持するようにする。
【００６４】
他方、前記監視員通路ｋの路面側の縁付近に立ち上げてある手摺りの支柱ｃ、ｃ、・・・には、図１〜図５に示すように、その路面と反対側の部位に前記係止補助棒３を接合状態に配置しておく。該係止補助棒３は、このように手摺りの支柱ｃ、ｃ、・・・と接する状態に配置すると、路面及び壁面ｗの面方向と概ね平行な向きになる。なお、この係止補助棒３の設置は、以下に述べるクランプ手段４、４、・・・で前記膨出防止棒２、２、・・・の上部を支持する操作を行う時点までに設置しておけば良い。
【００６５】
この後、前記膨出防止棒２、２、・・・を適切な横方向の間隔で、前記タイルパネル１、１、・・・の前面に配設する。なお、隣接するタイルパネル１、１の連結部については、前記漏出防止板７をその前面に接合状態に配置した上で、その前面側に前記膨出防止棒２、２、・・・を設置する。該膨出防止棒２、２、・・・は、この場合は、該漏出防止板７を介してタイルパネル１、１、・・・の前面側に配することになる。
【００６６】
該膨出防止棒２、２、・・・は、図１〜図５に示すように、前記クッション材２１を前記タイルパネル１、１、・・・の前面側に当接する向きで配する。前記のように、隣接するタイルパネル１、１の連結部付近では、言うまでも無く、該タイルパネル１、１の前面側に配した前記漏出防止板７の前面側に前記クッション材２１を当接した状態に配する。
【００６７】
該膨出防止棒２、２、・・・は、同図に示すように、その下部の不陸調整部２２をタイルパネル１、１、・・・の下端下に仮固定してある下部保持手段５の係止板部５１に開口した係止穴５１ｈ、５１ｈ、・・・のうちの対応する位置のそれに挿入係止する。該不陸調整部２２は、下方に向かうに従って該タイルパネル１、１、・・・側に向かうように斜めにカットした構成となっているので、該膨出防止棒２、２、・・・を深く押し下げ挿入すれば、そのクッション材２１を接合した面は壁面ｗ側に移動し、浅く押し下げ挿入すれば、そのクッション材２１を接合した面は壁面ｗから離れた位置に位置することになる。
【００６８】
前記のように、タイルパネル１、１、・・・は、前記アンカーボルトｂ１、ｂ１、・・・及び長ボルトｂ３、ｂ３、・・・で、不陸を適切に調節し、これを優先しながら壁面ｗの前面に概ね３ｍｍ程度の間隔を空けて配置してあり、他方、前記下部保持手段５は、該壁面ｗに直接に仮固定してあり、それ故、壁面ｗの凹凸にならった状態にならざるを得ない。従って、該膨出防止棒２、２、・・・に不陸調整部２２がないと、これを、不陸を調節してあるタイルパネル１、１、・・・の前面に適切に当接状態に配することができない。しかし該膨出防止棒２、２、・・・には不陸調整部２２を設けてあるので、前記のように、最下部に位置する該不陸調整部２２を前記下部保持手段５の係止板部５１の係止穴５１ｈ、５１ｈ、・・・に適切な深さで挿入係止させれば、該膨出防止棒２、２、・・・の前記クッション材２１を接合した面の不陸方向の位置関係を適切に調整できる。それ故、適切な不陸状態でタイルパネル１、１、・・・を外部から抑えることができる。
【００６９】
また、前記下部保持手段５は、前記壁面ｗに取り付けてあるものであり、路面や路面上の縁石に配してあるものではない。それ故、該路面や該縁石に傷を付けたり、汚したりするおそれもない。
【００７０】
前記膨出防止棒２、２、・・・の上部は、前記クランプ手段４、４、・・・により、その適切なタイルパネル１、１、・・・の抑え状態で、支持する。
【００７１】
該クランプ手段４、４、・・・は、図３〜図５に示すように、その他方の係止端４２、４２、・・・を、前記監視員通路ｋの手摺りの支柱ｃ、ｃ、・・・に係止した係止補助棒３の監視員通路ｋ側の部位に当接係止し、一方の係止端４１、４１、・・・を、前記膨出防止棒２、２、・・・の上部の通路側の面に当接係止させる。該一方の係止端４１、４１、・・・と該他方の係止端４２、４２、・・・との間隔が、前記係止補助棒３の該当部位と前記膨出防止棒２、２、・・・の該当部位との間隔より広い場合及び狭い場合は、前記調整ボルト部材４３を短縮回転又は伸張回転させて、適切な間隔になるように調節し、前記膨出防止棒２、２、・・・の上部を、タイルパネル１、１、・・・を適切な不陸状態に保持すべく、支持できるようにする。
【００７２】
このように準備した後、タイルパネル１、１、・・・と壁面ｗとの間に、当然、損傷を生じて剥離除去した部位を含めて、高流動性かつ無収縮のモルタルｍを注入充填する。この注入充填は一般の技法による。
【００７３】
注入されたモルタルｍは、高流動性なので、図１〜図５に示すように、狭い空間にも十分に行き渡ることになるが、隣接する各タイルパネル１、１間には充填剤（シーリング材）が充填してあり、更にその前面側には前記漏出防止板７が配してあるので、該モルタルｍがその間から漏出することはない。またタイルパネル１、１、・・・の下端下には、該タイルパネル１、１、・・・と壁面ｗとの隙間を塞ぐゴムパッキンｐが配置してあるので、前記のように注入されるモルタルｍが下端の隙間から漏出するようなこともない。
【００７４】
またモルタルｍの注入充填の際に、その強い注入圧が、タイルパネル１、１、・・・の背面に掛かっても、前記のように、該タイルパネル１、１、・・・の前面側には、前記膨出防止棒２、２、・・・が配してあるので、該タイルパネル１、１、・・・の膨出は防止される。適切な不陸状態が確実に維持される。
【００７５】
モルタルｍの注入充填後、該モルタルｍが硬化した後、前記クランプ手段４、４、・・・を取り外し、前記膨出防止棒２、２、・・・を、前記下部保持手段５の係止板部５１の係止穴５１ｈ、５１ｈ、・・・の対応するそれらから抜き取り、タイルパネル１、１の連結部前面に配した前記漏出防止板７を取り除く。また前記係止補助棒３を手摺りの支柱ｃ、ｃ、・・・の監視員通路ｋ側から除去する。更に前記下部保持手段５を仮固定用のアンカーボルトｂ２、ｂ２、・・・を抜き取って壁面ｗの最下部から除去し、同時に、前記ゴムパッキンｐもタイルパネル１、１、・・・の最下部内側の部位から除去する。
【００７６】
こうして、この実施例のトンネル内の監視員通路を立ち上げる壁面の補修方法はスピーディに完了することになる。
【産業上の利用可能性】
【００７７】
本発明のトンネル内の監視員通路を立ち上げる壁面の補修方法は、トンネル内の監視員通路を立ち上げる壁面の補修の分野及びこれに利用する部材の製造業の分野で有効に利用することができる。
【符号の説明】
【００７８】
１        タイルパネル
１１      タイル
１２      セメントボード（基板）
１３ａ    中間係止金具
１３ｂ    中関係止金具
１４      リベット部材
１５      上下部係止金具
２        膨出防止棒
２１      クッション材
２２      不陸調整部
３        係止補助棒
４        クランプ手段
４１      一方の係止端
４１ａ    一方の係止端の基部
４２      他方の係止端
４２ａ    他方の係止端の基部
４３      調整ボルト部材
５        下部保持手段
５１      係止板部
５１ｈ    係止穴
５２      取付板部
５２ｈ    横長の取付穴
６        連結補強部材
６１      連結板部
６１ｈａ  幅の広い横長の結合穴
６１ｈｂ  幅の狭い横長の結合穴
６２      延長板部
６３      絡み片
７        漏出防止板
ｂ１      アンカーボルト
ｂ２      仮止め用アンカーボルト
ｂ３      長ボルト
ｂｎ      ボルト・ナット
ｃ        手摺りの支柱
ｍ        モルタル
ｐ        ゴムパッキン
ｓ        壁面とタイルパネルとの隙間の間隔
ｔ        既存のタイル
ｗ        壁面
【要約】
【課題】トンネル内の監視員通路の立ち上げ壁面が損傷した場合に、その壁面の前面に型枠を配してモルタルを充填しその硬化を待つ程度の短期間で補修できるようにする。
【解決手段】壁面ｗの損傷部位を剥離除去し、その前面側に壁面ｗに固設するアンカーボルトｂ１で不陸を調節しながら概ね３ｍｍの間隔をあけて複数枚のタイルパネル１を配設する。タイルパネル１の前面に直接に、また隣接するタイルパネル１の連結部では、漏出防止板７を接合配置した上で、その前面に膨出防止棒２を設置する。膨出防止棒２は、下部の不陸調整部２２を下部壁面ｗに仮固定した下部保持手段５の係止穴５１ｈに挿入係止する。膨出防止棒２の上部はクランプ手段４で保持する。この後、壁面ｗとタイルパネル１との間に高流動性・無収縮のモルタルを注入充填し、硬化後に、膨出防止棒２、漏出防止板７、クランプ手段４及び下部保持手段５を取り除いて補修作業は完了する。
【選択図】図３【図１】
0005761701.tif 000002
【図２】
0005761701.tif 000003
【図３】
0005761701.tif 000004
【図４】
0005761701.tif 000005
【図５】
0005761701.tif 000006
【図６】
0005761701.tif 000007
【図７】
0005761701.tif 000008
【図８】
0005761701.tif 000009
【図９】
0005761701.tif 000010
【図１０】
0005761701.tif 000011
【図１１】
0005761701.tif 000012
【図１２】
0005761701.tif 000013
【図１３】
0005761701.tif 000014
【図１４】
0005761701.tif 000015
【図１５】
0005761701.tif 000016